(57)【要約】【課題】本発明は階段用仮設手摺に関し、開口部の養生をしっかりとした手摺等を構築するようにすることが課題である。【解決手段】階段用開口部の養生をする仮設の手摺であって、型枠支持用のパイプサポート２と該パイプサポートに支持されるスラブ型枠３とによって保持される下地プレート４と、前記下地プレート４に穿設された貫通孔に連通するように一端部が固着され他端部が下方向に向けて垂設された支持用鞘管５と、前記鞘管の下端部に位置決めして片側端部が連結され他側端部が前記パイプサポートに向けて傾斜して配置され伸縮自在に長さが設定される頬杖支持管６と、前記頬杖支持管に係合すると共に前記パイプサポートに着脱自在に係止される支持基部７と、前記支持用鞘管に差し込まれる支柱８と、該支柱に仮設される手摺９と、から構成されている階段用仮設手摺１とする。【選択図】図１
2005232856.tif 000002
【特許請求の範囲】
【請求項１】
階段用開口部の養生をする仮設の手摺であって、
型枠支持用のパイプサポートと該パイプサポートに支持されるスラブ型枠とによって保持される下地プレートと、
前記下地プレートに穿設された貫通孔に連通するように一端部が固着され他端部が下方向に向けて垂設された支持用鞘管と、
前記鞘管の下端部に位置決めして片側端部が連結され他側端部が前記パイプサポートに向けて傾斜して配置され伸縮自在に長さが設定される頬杖支持管と、
前記頬杖支持管に係合すると共に前記パイプサポートに着脱自在に係止される支持基部と、
前記支持用鞘管に差し込まれる支柱と、
該支柱に仮設される手摺と、
から構成されていることを特徴とする階段用仮設手摺。
【請求項２】
下地プレートには、支持用鞘管が連通される貫通孔のほかに、袋ナットアンカー取付用のネジ孔と、パイプサポートの頭部に係止させるフックを取り付けるためのフック用ネジ孔と、が設けられていること、
を特徴とする請求項１に記載の階段用仮設手摺。
【請求項３】
鞘管の下端部と頬杖支持管の片側端部とが位置決めされ連結されるのは、重畳して嵌合した管部分に略水平な貫通孔が直径方向に貫いて設けられ、該貫通孔に貫通させて脱着ピンが装着されるものであること、
を特徴とする請求項１または２に記載の階段用仮設手摺。
【発明の詳細な説明】
【技術分野】
【０００１】
本発明は、構造物の建設途中における、階段部の開口に設けられ作業員の落下を防止する階段用仮設手摺に関するものである。
【背景技術】
【０００２】
従来、構造物の階段部分では、階段部分の開口部が設けられ階段部分が作られた後に、手摺が設置される。その手摺が設置されるまでの間は、作業者にとって落下の危険があるので、例えば、階段の側面を保護するため、階段室の天井面と床面との間に棒状部材を係止し、更に、手摺状部材を架設することで、作業者の作業の安全性を確保するものが知られている（特許文献１参照）。
【特許文献１】特開平１１−３１５６３９号公報
【０００３】
しかし、階段の昇降部分における側面が保護されるものの、上階への登り口においては、図８に示すように、開口となるので作業者の落下の危険がある。従来では、壁筋２０にパイプ２１を差し込み、それにパイプ手摺２２と幅木２３とを取付けているものが知られているが、壁筋２０にパイプを差し込んだだけなので、作業者の安全性を確保する上で、確実な養生対策と言えないものである。
【発明の開示】
【発明が解決しようとする課題】
【０００４】
階段部分の上階への登り口の開口部養生を確実にすることが課題である。
【課題を解決するための手段】
【０００５】
本発明に係る階段用仮設手摺は、階段用開口部の養生をする仮設の手摺であって、型枠支持用のパイプサポートと該パイプサポートに支持されるスラブ型枠とによって保持される下地プレートと、前記下地プレートに穿設された貫通孔に連通するように一端部が固着され他端部が下方向に向けて垂設された支持用鞘管と、前記鞘管の下端部に位置決めして片側端部が連結され他側端部が前記パイプサポートに向けて傾斜して配置され伸縮自在に長さが設定される頬杖支持管と、前記頬杖支持管に係合すると共に前記パイプサポートに着脱自在に係止される支持基部と、前記支持用鞘管に差し込まれる支柱と、該支柱に仮設される手摺と、から構成されていることである。
【０００６】
また、前記下地プレートには、支持用鞘管が連通される貫通孔のほかに、袋ナットアンカー取付用のネジ孔と、パイプサポートの頭部に係止させるフックを取り付けるためのフック用ネジ孔と、が設けられていること、；
鞘管の下端部と頬杖支持管の片側端部とが位置決めされ連結されるのは、重畳して嵌合した管部分に略水平な貫通孔が直径方向に貫いて設けられ、該貫通孔に貫通させて脱着ピンが装着されるものであること、；
を含むものである。
【発明の効果】
【０００７】
本発明の階段用仮設手摺は、下地プレートを、パイプサポートとスラブ用の型枠とで、しっかりと保持するようにしてあるので、手摺が確実に支持されて安全性が確保されるという利点がある。また、その下地プレートに、支持用のネジ孔を複数種類用意しておくことで、下地プレートの保持において、スラブ型枠の下に挟み込んだり、スラブ型枠の上に載置してねじ止めしたりすることができて、施工方法に多様性がある。更に、この階段用仮設手摺は、取り外しが容易であり、他の階段開口部の養生部分に転用可能となる。
【発明を実施するための最良の形態】
【０００８】
本発明に係る階段用仮設手摺１の構成は概略的に、図１乃至図２に示すように、型枠支持用のパイプサポート２と該パイプサポート２に支持されるスラブ型枠３とによって保持される下地プレート４と、前記下地プレート４に穿設された貫通孔４ａ（図３参照）に連通するように一端部５ａが固着され他端部５ｂが下方向に向けて垂設された支持用鞘管５と、前記鞘管５の下端部に位置決めして片側端部６ａが連結され他側端部６ｂが前記パイプサポート２に向けて傾斜して配置され伸縮自在に長さが設定される頬杖支持管６と、前記頬杖支持管６に係合すると共に前記パイプサポート２に着脱自在に係止される支持基部７と、前記支持用鞘管５に差し込まれる支柱８と、該支柱８に仮設される手摺９とから構成されている。
【０００９】
前記下地プレート４は、図３に示すように、金属製（鉄製、鋼製、一例として大きさが、２５０×４５０×９ｍｍ程度）の平板であり、前記支持用鞘管５が連通される貫通孔４ａが穿設されているほかに、袋ナットアンカー取付用のネジ孔４ｂと、パイプサポート２の頭部に係止させるフック４ｆ（図１、図４乃至図５参照）を取り付けるためのフック用ネジ孔４ｃと、スラブ型枠３に釘打ちするための釘孔４ｄが設けられている。なお、孔４ｅは、このプレート４の全体重量を軽量化させるため穿設したものである。この孔４ｅには、後述するように、下地プレート４をコンクリート中に打ち込みする場合には、木等が埋め込まれることがある。
【００１０】
前記支持用鞘管５は、金属製のパイプであって、前記プレート４に溶接により固着される。この鞘管５に仮設の支柱８が差し込まれるものである。
【００１１】
前記鞘管５の他端部５ｂには、直径方向に貫通した貫通孔５ｃが設けられている。これは、頬杖支持管６の片側端部６ａと連結するためのものである。即ち、当該片側端部６ａにも同じような貫通孔が設けられ、他端部５ｂの中に片側端部６ａを差し込んで遊嵌させ、貫通孔を水平に位置合わせして直径方向に連通するようにする。そこに、脱着ピン（図示せず）を差し込むことで、両者の連結がなされるものである。
【００１２】
前記頬杖支持管６は、図３に示すように、前記鞘管５とパイプサポート２との間の距離に応じて伸縮できるようにされている。例えば、この頬杖支持管６が２部品からなり、その重畳部分ではねじ止めすることで、長手方向に伸長させるものである。そして、下側の部品における他側端部６ｂが、支持基部７の円筒状の支持嵌合部７ａに回転自在にして嵌合するようにする。この下側の部品６ｃは、前記支持嵌合部７ａと回転自在に組み立てられることで、前記支持基部７を構成する一部品としても良い。
【００１３】
前記支持基部７は、金属製で、前記パイプサポート２に係止させるものであるが、しっかり固定させるために、クランプ式にした方が好ましい。
【００１４】
本発明に係る階段用仮設手摺１は、図１に示すように、スラブ型枠３を建込み、該スラブ型枠３の先端にパイプサポート２を建てる際、下地プレート４をスラブ型枠３とパイプサポート２との間に挟み込む。フック４ｆをパイプサポート２の頭部に引っかけて、図４乃至図５に示すように、ボルト１６をネジ孔４ｃに螺着させて、前記下地プレート４にフック４ｆを固定し、当該下地プレート４を位置固定する。また、下地プレート４の釘孔４ｄに下から釘を打ち込んで、スラブ型枠３に固定する。
【００１５】
パイプサポート２のずれ止めの補強を行った後に、頬杖支持管６及び支持基部７を取り付ける。脱着ピンを貫通孔５ｃに差し込んで鞘管５と頬杖支持管６の片側端部６ａを連結させ、支持基部７をパイプサポート２にしっかり固定した後、前記頬杖支持管６を伸長させて、緩み無く全体を固定する。
【００１６】
その後、支柱８を鞘管５に差し込み、手摺９そして幅木１１を落下防止用に取付ける。前記支柱８は、脱着ピン若しくは頬杖支持管６の片側端部６ａの上端に当接し、下げ止めされて支持される。そして、スラブ型枠３において、スラブ筋３ａの配筋をして、止め枠１０を設けてコンクリートを打設する。そして、次の階の階段型枠を建て込む時に、前記手摺９，幅木１１，支柱８を撤去する。
【００１７】
なお、下地プレート４等が残っていても、次階の階段型枠１２等の邪魔になることがない。パイプサポート２の撤去時に、前記下地プレート４，頬杖支持管６、支持基部７を撤去して他の養生場所に転用する。
【００１８】
本発明の他の実施例に係る階段用仮設手摺１ａとして、図６に示すように、ダメ穴や吹抜け等において、下地プレートをスラブ型枠中に打ち込む場合がある。これは、支柱８，手摺、幅木１１等を長期に亘り、開口部の養生をさせるためである。
【００１９】
この下地プレート４は、図６乃至図７に示すように、袋ナット１３をネジ孔４ｂに螺着し、スラブ型枠３の上に載置して、ボルト１４を下から挿通させて前記袋ナット１３にねじ込むことで、下地プレート４をスラブ型枠３に固定する。また、フック４ｆによってスラブ型枠３の一部を挟むようにして、ネジ孔４ｃにボルト１６を螺着させて固定する。他の頬杖支持管６や支持基部７、支柱８、手摺９、幅木１１等の取付けは前記実施例と同様である。
【００２０】
そして、図５に示すように、孔４ｅには木等を埋め込んで、コンクリート１５が充填されないようにし、止め枠１０を設置した後に、コンクリート１５を打設する。このコンクリート１５が所要の強度を発現した後に、パイプサポート２及びバタ角２ｂを撤去する。同時に、脱着ピンを外して鞘管５と頬杖支持管６との連結を解除する。そして、当該頬杖支持管６と支持基部７とを撤去する。
【００２１】
その後、脱着ピンを再び貫通孔５ｃに差し込んで、支柱８の下げ止めとする。ダメ穴や吹抜け等の場合は、開口部の養生をしばらくの間、継続しておく必要があるからである。
【００２２】
その後、支柱８及び手摺９，幅木１１が不要となった時点で、これらを鞘管５から引き抜いて外し、ボルト１４を外して下地プレート４を撤去する。これらは他の養生場所に転用される。
【図面の簡単な説明】
【００２３】
【図１】本発明に係る階段用仮設手摺１の側面図である。
【図２】同本発明の階段用仮設手摺１の正面図である。
【図３】同階段用仮設手摺１の一部詳細斜視図である。
【図４】同階段用仮設手摺１の一部詳細斜視図である。
【図５】同階段用仮設手摺１における下地プレート４の裏面の平面図である。
【図６】同本発明の他の実施例に係る階段用仮設手摺１ａの側面図である。
【図７】同階段用仮設手摺１ａの一部詳細斜視図である。
【図８】従来例に係る階段用仮設手摺の斜視図である。
【符号の説明】
【００２４】
１，１ａ          階段用仮設手摺、
２                パイプサポート、
３                スラブ型枠、
４                下地プレート、            ４ａ          貫通孔、
４ｂ              ネジ孔、                  ４ｃ          フック用ネジ孔、
４ｄ              釘孔、                    ４ｅ          孔、
４ｆ              フック、  
５                鞘管、                    ５ａ          一端部、
５ｂ              他端部、                  ５ｃ          貫通孔、  
６                頬杖支持管、              ６ａ          片側端部、
６ｂ              他側端部、
７                支持基部、                ７ａ          支持嵌合部、
８                支柱、
９                手摺、
１０              止め枠、
１１              幅木、
１２              階段型枠、
１３              袋ナット、
１４              ボルト、
１５              コンクリート、
１６              ボルト。
【図１】
2005232856.tif 000003
【図２】
2005232856.tif 000004
【図３】
2005232856.tif 000005
【図４】
2005232856.tif 000006
【図５】
2005232856.tif 000007
【図６】
2005232856.tif 000008
【図７】
2005232856.tif 000009
【図８】
2005232856.tif 000010